(57)【要約】【課題】遮光板を備えていてもグローブへの影響を防止することができる照明装置を提供する。【解決手段】照明装置10は、筐体11を備える。筐体11に、発光素子18を配設するとともに、発光素子18を覆ってグローブ14を配設する。遮光板15を、グローブ14の外面に接触することなく対向するように筐体11に取り付ける。【選択図】図１
2017033764.tif 000002
【特許請求の範囲】
【請求項１】
筐体と；
前記筐体に配設された光源と；
前記光源を覆って前記筐体に配設されたグローブと；
前記グローブの外面に接触することなく対向するように前記筐体に取り付けられた遮光板と；
を具備することを特徴とする照明装置。
【発明の詳細な説明】
【技術分野】
【０００１】
本発明の実施形態は、遮光板を備えた照明装置に関する。
【背景技術】
【０００２】
従来、例えば防犯灯等の照明装置では、筐体の下面に、光源が配設されるとともに、この光源を覆ってグローブが配設されている。
【０００３】
このような照明装置は、所定の配光特性を有しているが、設置場所によっては所定の方向や範囲への光の照射を抑制するために遮光板を付加することがある。遮光板は、遮光方向や遮光範囲に応じてグローブを覆うもので、グローブに接触して取り付けられている。
【０００４】
しかし、遮光板がグローブに接触することで、例えば遮光板とグローブとの熱膨張の差によりグローブに負荷が加わり、グローブが傷付いたり破損するなどの影響が生じる虞がある。
【先行技術文献】
【特許文献】
【０００５】
【特許文献１】特開２０１４−７２１０６号公報
【発明の概要】
【発明が解決しようとする課題】
【０００６】
本発明が解決しようとする課題は、遮光板を備えていてもグローブへの影響を防止することができる照明装置を提供することである。
【課題を解決するための手段】
【０００７】
実施形態の照明装置は、筐体を備える。筐体に、光源を配設するとともに、光源を覆ってグローブを配設する。遮光板を、グローブの外面に接触することなく対向するように筐体に取り付ける。
【発明の効果】
【０００８】
本発明によれば、遮光板を備えていてもグローブへの影響を防止することが期待できる。
【図面の簡単な説明】
【０００９】
【図１】一実施形態を示す照明装置の断面図である。
【図２】同上照明装置の正面図である。
【図３】同上照明装置の斜視図である。
【図４】同上照明装置の斜視図である。
【図５】同上照明装置の遮光板の斜視図である。
【発明を実施するための形態】
【００１０】
以下、一実施形態を、図１ないし図５を参照して説明する。
【００１１】
図１ないし図４に示すように、照明装置10は、例えば電柱やポールあるいは壁面等の設置部に設置される防犯灯である。
【００１２】
照明装置10は、筐体11、この筐体11に取り付けられた光源ユニット12、採光ユニット13、グローブ（透光カバー）14および遮光板15等を備えている。
【００１３】
まず、光源ユニット12について説明する。光源ユニット12は、基板17、この基板17にそれぞれ実装された光源としての発光素子18および電源回路19を備えている。
【００１４】
基板17は、略長方形に形成され、長手方向の一端側に発光素子実装領域17aが形成され、他端側に電源回路実装領域17bが形成されている。基板17は複数のねじ20で筐体11の下面に固定されている。
【００１５】
発光素子18は、例えばＳＭＤ（Surface Mount Device）パッケージ方式の複数のＬＥＤが用いられている。複数の発光素子18は、基板17の下面の発光素子実装領域17aに実装されている。本実施形態では、複数の発光素子18は、基板17の幅方向に２列で、基板17の長手方向に沿って所定の間隔をあけて３つずつ配列されている。なお、発光素子18は、ＬＥＤの場合にはＣＯＢ（Chip On Board）モジュールを用いてもよく、また、ＥＬ（Electro Luminescence）素子等を用いてもよい。
【００１６】
電源回路19は、基板17の電源回路実装領域17bに実装されている。電源回路19は、複数の電子部品21を有している。電子部品21には、基板17の上面に実装されていて照明装置10の周囲の明るさを検知するための照度センサ22が含まれている。そして、電源回路19は、外部から供給される交流電力を所定の直流電力に変換し、この直流電力を発光素子18に供給して発光素子18を発光させるものであり、さらに、照度センサ22によって検出する明るさが所定の閾値よりも低い場合に発光素子18を点灯させ、所定の閾値よりも高い場合に発光素子18を消灯させるように、発光素子18の点灯および消灯を自動的に制御する。
【００１７】
また、筐体11は、例えばアルミダイカスト等の金属製で一体成形されている。筐体11は、前後方向に長い形状に形成され、内部に空間25が形成されているとともに下面が開口されている。
【００１８】
筐体11の後部側には、照明装置10を設置部に取り付けるための取付部26が突設されている。取付部26は、筐体11に一体に形成されていて筐体11の後部側から後方へ突出する一対の取付片27を有している。一対の取付片27は、互いに所定の間隔をあけて筐体11の後部側から後方へ突設されている。
【００１９】
取付片27の後端部28は、筐体11の前端側が上昇するように筐体11の下面の角度が水平面に対して例えば２０°の角度に傾斜する状態で、水平面に対して垂直となるように構成されている。
【００２０】
取付片27には、後端部28と平行に取付溝29が形成され、後端部28と取付溝29との間の上下部に取付孔30が形成されている。さらに、取付片27には、アースねじ31が螺着されるねじ孔32が形成されている。なお、一対の取付片27にねじ孔32が形成されているが、アースねじ31は一方の取付片27のねじ孔32のみに螺着されている。
【００２１】
一対の取付片27の互いに対向する内面33は、上方へ向けて拡開するように傾斜する傾斜面に形成されている。
【００２２】
一対の取付片27の内面33に対して反対側の外面34は、互いに平行となる平行面に形成されている。すなわち、一対の取付片27の外面34は、一対の取付片27の対向方向に対して直交する平行面に形成されている。
【００２３】
筐体11の後部側には、一対の取付片27の間に、配線孔35および通気孔36が形成されている。配線孔35には、電源回路19に電源を供給する電線37が挿通するブッシング38が取り付けられている。通気孔36には、気体の通過を可能とするとともに液体の通過を不可とする内圧調整フィルタ39が取り付けられている。
【００２４】
筐体11の上面には採光孔40が形成されている。
【００２５】
また、採光ユニット13は、採光孔40を閉塞する採光窓43、およびこの採光窓43から採光された外光を照度センサ22に導く導光筒44を備えている。
【００２６】
また、グローブ14は、透光性を有する例えば合成樹脂やガラス等の透明な材料によって一体に形成されている。グローブ14は、筐体11の下面開口を閉塞し、複数のねじ47によって筐体11に固定されている。グローブ14は、基板17の発光素子実装領域17aを覆う発光側グローブ部14a、および電源回路実装領域17bを覆う回路側グローブ部14bを備えている。発光側グローブ部14aおよび回路側グローブ部14bは平面状に形成されている。グローブ14の発光側グローブ部14aには、各発光素子18の位置に対応して配光を制御するレンズ部48が一体に形成されている。レンズ部48は、グローブ14の下面から突設されており、発光素子18からの光を入射し、照明装置10の幅方向に広がるように光を出射する。
【００２７】
また、本実施形態の遮光板15は、照明装置10を正面側から見て右方向への光、および照明装置10の後方向への光をそれぞれ遮光する。
【００２８】
図１ないし図５に示すように、遮光板15は、金属板をプレス成形して一体に形成されている。遮光板15は、下面部51、この下面部51の両側からそれぞれ立ち上げられた両側の側面部52、下面部51の後側から立ち上げられた後面部53、この後面部53の上端から後方へ突出された取付部54を備えている。
【００２９】
下面部51は、グローブ14の下面および基板17に対して平行に対向配置される。下面部51には、グローブ14のレンズ部48が形成された発光側グローブ部14aよりも後側、すなわちグローブ14の回路側グローブ14bの下面全域を覆う後側遮光部55が形成されている。後側遮光部55の前端の一側（正面から見て右側）が前方に延長されて、グローブ14のレンズ部48が形成された発光側グローブ部14aの下面一側（正面から見て右側）を覆う下面遮光部56が形成されている。
【００３０】
側面部52は、筐体11の下面よりも上方に突出されている。側面部52の上端側は筐体11の外側面に所定の間隙をあけて対向されている。一側（正面から見て右側）の側面部52の前端側には、グローブ14のレンズ部48が形成された発光側グローブ部14aの一側面（正面から見て右側面）を覆う側面遮光部57が形成されている。
【００３１】
したがって、これら下面遮光部56および側面遮光部57により、グローブ14のレンズ部48が形成された発光側グローブ部14aから一側方向（正面から見て右側方向）への光が遮光される。
【００３２】
取付部54は、一対の取付片27の下面に接合される取付面部58を有している。取付面部58の前端には筐体11の後面に接合される接合片59が立ち上げられ、取付面部58の両側には取付片27の外面34に配設される突片60がそれぞれ立ち上げられている。この突片60には挿通孔61が形成されている。
【００３３】
そして、ボルト62が一側の突片60の挿通孔61、一側の取付片27の取付孔30、他側の取付片27の取付孔30、および他側の突片60の挿通孔61に挿通され、ボルト62の先端にナット63が螺着され、これらボルト62とナット63による締め付けによって、遮光板15の取付部54が筐体11に取り付けられている。
【００３４】
遮光板15は、グローブ14の外面に接触することなく所定の間隙をあけて対向するように筐体11に取り付けられている。言い換えれば、遮光板15は、グローブ14の外面に対して対向するとともに全体が離反するように筐体11に取り付けられている。
【００３５】
そして、このように構成された照明装置10は、バンドや取付金具等の取付部品を用いて、例えば道路の脇に設置されたポールや電柱、あるいは壁面等の設置部に設置する。
【００３６】
例えば、バンドを用いて照明装置10をポールに取り付ける場合には、バンドを一対の取付片27の取付溝29に通すとともにポールの周囲に巻き付け、一対の取付片27をポールに締め付けて固定する。あるいは、取付金具を用いて照明装置10を設置部に設置する場合には、取付金具を一対の取付片27の間に配置し、ボルトを一側の取付片27の取付孔30から取付金具および他側の取付片27の取付孔30に通し、そのボルトの先端にナットを螺着し、ボルトの頭部を一側の取付片27の外面34に接合するとともにナットを他側の取付片27の外面34に接合させて締め付け固定する。この場合、取付金具を取り付けるためのボルトの１つは、遮光板15を筐体11に取り付けるためのボルト62と共用する。
【００３７】
そして、照明装置10の設置状態では、筐体11の前部側が上昇するように傾斜し、光源ユニット12の発光素子18の発光した際には、発光素子18からの光がグローブ14のレンズ部48を通じて道路に照射される。
【００３８】
発光素子18が発光した際にレンズ部48から出射される光のうち、照明装置10の正面から見て右方向へ向かう光は、遮光板15の下面遮光部および側面遮光部57で遮光され、また、照明装置10の後方へ向かう光は、遮光板15の後側遮光部55で遮光される。したがって、遮光板15によって、照明装置10の右方向および後方への光の照射を低減することができる。
【００３９】
そして、この遮光板15は、グローブ14の外面に接触することなく所定の間隙をあけて対向するように筐体11に取り付けられているため、例えば金属製の遮光板15と樹脂製のグローブ14とに熱膨張差があったとしても、遮光板15からグローブ14に負荷が加わることがなく、グローブ14が傷付いたり破損するなどの影響が生じる虞がない。
【００４０】
このように、本実施形態の照明装置10によれば、遮光板15を備えていても、この遮光板15がグローブ14に接触しないため、遮光板15からのグローブ14への影響を防止できる。
【００４１】
また、遮光板15は、取付部54と遮光部56，57との間に、両側に側面部52が折曲された下面部51（後側遮光部55）を設けているため、遮光板15の剛性が高く、遮光板15をグローブに接触させずに取付部54のみで支える構造としても、遮光板15の強度を確保することができる。
【００４２】
また、遮光板15がグローブ14に接触しないことにより、風や振動等で遮光板15とグローブ14とが接離を繰り返して騒音を発生するような不具合を防止できる。
【００４３】
また、遮光板15の取付部54は、取付片27の下面に接合される取付面部58、筐体11の背面に接合される接合片59、および取付片27の側面に接合される突片60を有するため、突片60をボルト62およびナット63で取付片27に取り付ければ、遮光板15を筐体11に位置決め固定できるとともに、遮光板15をグローブ14の外面に対して所定の間隙をあけて対向するように筐体11に取り付けることができる。
【００４４】
なお、照明装置10の正面から見て左方向への光、および照明装置10の後方向への光をそれぞれ遮光する場合には、遮光部56，57が正面から見て左側に位置する勝手違いの遮光板15を用いればよい。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
10    照明装置
11    筐体
14    グローブ
15    遮光板
18    光源としての発光素子
【図１】
2017033764.tif 000003
【図２】
2017033764.tif 000004
【図３】
2017033764.tif 000005
【図４】
2017033764.tif 000006
【図５】
2017033764.tif 000007